(57)【要約】本発明は、メッセージ伝送方法、ユーザ装置、基地局及び通信システムを開示する。本発明の実施形態のメッセージ伝送方法は、第１のユーザ装置が、セルラネットワーク基地局から競合リソースについての情報を受信するステップであって、競合リソースは、オートノマス競合方式で取得される伝送リソースである、ステップと、第１のユーザ装置が、競合リソースに対応する時間ウィンドウ内で伝送リソースについて競合し、伝送リソースが取得された場合、取得された伝送リソースを用いて、メッセージを第２のユーザ装置に送信するステップと、を含む
2017535206.tif 000002
【特許請求の範囲】
【請求項１】
第１のユーザ装置が、セルラネットワーク基地局から競合リソースについての情報を受信するステップであって、前記競合リソースは、オートノマス競合方式で取得される伝送リソースである、ステップと、
前記第１のユーザ装置が、前記競合リソースに対応する時間ウィンドウ内で伝送リソースについて競合し、前記伝送リソースが取得された場合、取得された前記伝送リソースを用いて、メッセージを第２のユーザ装置に送信するステップと、
を含むメッセージ伝送方法。
【請求項２】
前記第１のユーザ装置は更に、前記基地局から非競合リソースについての情報を受信し、前記非競合リソースは、前記基地局によって申請に従って割り当てられる伝送リソースであり、前記第１のユーザ装置がＸｍｓ後又はＫ回の競合の後に伝送リソースを取得しなかった場合、前記第１のユーザ装置は前記基地局に伝送リソースを申請し、前記基地局によって割り当てられる伝送リソースを用いて、前記第２のユーザ装置にメッセージを送信し、Ｘは有理数であり、Ｋは正の整数である、
請求項１に記載の方法。
【請求項３】
前記第１のユーザ装置が、前記競合リソースに対応する時間ウィンドウ内で伝送リソースについて競合する前記ステップは、具体的には、
前記第１のユーザが、モニタリングにより、前記伝送リソースがアイドル状態にあり、且つＹｍｓ後に前記伝送リソースが依然としてアイドル状態にあることを知った場合、前記第１のユーザ装置が、前記伝送リソースを用いて、前記第２のユーザ装置にメッセージを送信するステップであって、Ｙは有理数である、ステップと、
を含む、請求項１又は２に記載の方法。
【請求項４】
前記競合リソースについての前記情報又は前記非競合リソースについての前記情報は、マスタ情報ブロックと、システム情報ブロックと、無線リソース制御シグナリングとのうちいずれか１つで搬送される、
請求項１乃至３のいずれか１項に記載の方法。
【請求項５】
前記第１のユーザ装置が申請により前記基地局から得る前記伝送リソースは、前記競合リソース及び／又は前記非競合リソースを含む、
請求項１乃至４のいずれか１項に記載の方法。
【請求項６】
Ｘｍｓは、前記基地局によって決定されるか、又は予め定義された時間である、
請求項２乃至５のいずれか１項に記載の方法。
【請求項７】
前記Ｋ回の競合は、前記基地局によって決定されるか、又は予め定義された回数である、
請求項２乃至６のいずれか１項に記載の方法。
【請求項８】
前記競合リソースについての前記情報又は前記非競合リソースについての前記情報は、前記伝送リソースの位置する無線フレームにおける前記伝送リソースの数及び／又は位置を含む、
請求項１乃至７のいずれか１項に記載の方法。
【請求項９】
セルラネットワークのセルハンドオーバプロセスにおけるメッセージ伝送方法であって、
第１のユーザ装置が、ソース基地局から測定制御信号を受信し、隣接セル測定の後、前記ソース基地局に測定レポートを報告するステップと、
ハンドオーバが要求される場合、前記第１のユーザ装置が、ターゲット基地局によって送信された競合リソースについての情報を受信するステップであって、前記競合リソースは、オートノマス競合方式で取得される伝送リソースである、ステップと、
前記第１のユーザ装置が、前記競合リソースに対応する時間ウィンドウ内で伝送リソースについて競合し、前記伝送リソースが取得された場合、取得された前記伝送リソースを用いて、メッセージを第２のユーザ装置に送信するステップと、
を含む方法。
【請求項１０】
前記第１のユーザ装置は更に、前記ターゲット基地局から非競合リソースについての情報を受信し、前記非競合リソースは、前記ターゲット基地局によって申請に従って割り当てられる伝送リソースであり、前記第１のユーザ装置がＸｍｓ後又はＫ回の競合の後に伝送リソースを取得しなかった場合、前記第１のユーザ装置は前記ターゲット基地局に伝送リソースを申請し、前記ターゲット基地局によって割り当てられる伝送リソースを用いて、前記第２のユーザ装置にメッセージを送信し、Ｘは有理数であり、Ｋは正の整数である、
請求項９に記載の方法。
【請求項１１】
前記第１のユーザ装置が、前記競合リソースに対応する時間ウィンドウ内で伝送リソースについて競合する前記ステップは、具体的には、
前記第１のユーザが、モニタリングにより、前記伝送リソースがアイドル状態にあり、且つＹｍｓ後に前記伝送リソースが依然としてアイドル状態にあることを知った場合、前記第１のユーザ装置が、前記伝送リソースを用いて、前記第２のユーザ装置にメッセージを送信するステップであって、Ｙは有理数である、ステップ、
を含む、請求項９又は１０に記載の方法。
【請求項１２】
前記競合リソースについての前記情報又は前記非競合リソースについての前記情報は、マスタ情報ブロックと、システム情報ブロックと、無線リソース制御シグナリングとのうちいずれか１つで搬送される、
請求項９乃至１１のいずれか１項に記載の方法。
【請求項１３】
前記第１のユーザ装置が申請により前記ターゲット基地局から得る前記リソースは、前記競合リソース及び／又は前記非競合リソースを含む、
請求項９乃至１２のいずれか１項に記載の方法。
【請求項１４】
Ｘｍｓは、前記ターゲット基地局によって決定されるか、又は予め定義された時間である、
請求項１０乃至１３のいずれか１項に記載の方法。
【請求項１５】
前記Ｋ回の競合は、前記ターゲット基地局によって決定されるか、又は予め定義された回数である、
請求項１０乃至１４のいずれか１項に記載の方法。
【請求項１６】
前記競合リソースについての前記情報又は前記非競合リソースについての前記情報は、前記伝送リソースの位置する無線フレームにおける前記伝送リソースの数及び／又は位置を含む、
請求項９乃至１５のいずれか１項に記載の方法。
【請求項１７】
セルラネットワーク基地局が、競合リソースについての情報を第１のユーザ装置に送信するステップであって、前記競合リソースは、オートノマス競合方式で取得される伝送リソースであり、前記競合リソースは、前記第１のユーザ装置が前記競合リソースに対応する時間ウィンドウ内で伝送リソースについて競合できるようにし、且つ、前記第１のユーザ装置が前記伝送リソースを取得したとき、前記第１のユーザ装置が、取得された前記伝送リソースを用いて、第２のユーザ装置にメッセージを送信できるようにするために適用可能である、ステップ、
を含むリソース構成方法。
【請求項１８】
前記基地局は更に、前記第１のユーザ装置に非競合リソースについての情報を送信し、前記非競合リソースは、前記ターゲット基地局によって申請に従って割り当てられる伝送リソースであり、前記第１のユーザ装置がＸｍｓ後又はＫ回の競合の後に伝送リソースを取得しなかった場合、前記第１のユーザ装置は前記基地局に伝送リソースを申請し、前記基地局によって割り当てられる伝送リソースを用いて、前記第２のユーザ装置にメッセージを送信し、Ｘは有理数であり、Ｋは正の整数である、
請求項１７に記載の方法。
【請求項１９】
前記競合リソースについての前記情報又は前記非競合リソースについての前記情報は、マスタ情報ブロックと、システム情報ブロックと、無線リソース制御シグナリングとのうちいずれか１つで搬送される、
請求項１７又は１８に記載の方法。
【請求項２０】
前記基地局により前記第１のユーザ装置に割り当てられる前記伝送リソースは、前記競合リソース及び／又は前記非競合リソースを含む、
請求項１７乃至１９のいずれか１項に記載の方法。
【請求項２１】
Ｘｍｓは、前記基地局によって決定されるか、又は予め定義された時間である、
請求項１８乃至２０のいずれか１項に記載の方法。
【請求項２２】
前記Ｋ回の競合は、前記基地局によって決定されるか、又は予め定義された回数である、
請求項１８乃至２１のいずれか１項に記載の方法。
【請求項２３】
前記競合リソースについての前記情報又は前記非競合リソースについての前記情報は、前記伝送リソースの位置する無線フレームにおける前記伝送リソースの数及び／又は位置を含む、
請求項１７乃至２２のいずれか１項に記載の方法。
【請求項２４】
第１のユーザ装置であって、
セルラネットワーク基地局から競合リソースについての情報を受信するように構成される受信部であって、前記競合リソースは、オートノマス競合方式で取得される伝送リソースである、受信部と、
前記受信部によって受信された前記競合リソースについての前記情報に従って、前記競合リソースに対応する時間ウィンドウ内で伝送リソースについて競合ように構成されるプロセッサと、
前記プロセッサが前記伝送リソースを取得したとき、取得された前記伝送リソースを用いて、第２のユーザ装置にメッセージを送信するように構成される送信部と、
を備えるユーザ装置。
【請求項２５】
前記受信部は更に、前記基地局から非競合リソースについての情報を受信するように構成され、前記非競合リソースは、前記基地局によって申請に従って割り当てられる伝送リソースであり、
前記プロセッサは更に、前記第１のユーザ装置がＸｍｓ後又はＫ回の競合の後に伝送リソースを取得しなかった場合、前記基地局に伝送リソースを申請するように構成され、Ｘは有理数であり、Ｋは正の整数である、
請求項２４に記載のユーザ装置。
【請求項２６】
前記プロセッサが前記競合リソースに対応する時間ウィンドウ内で伝送リソースについて競合するように構成されることは、具体的には、
前記プロセッサは、前記プロセッサが、モニタリングにより、前記伝送リソースがアイドル状態にあり、且つＹｍｓ後に前記伝送リソースが依然としてアイドル状態にあることを知った場合、前記送信部に、前記伝送リソースを用いて前記第２のユーザ装置にメッセージを送信するように命令するように構成され、Ｙは有理数である、
請求項２４又は２５に記載のユーザ装置。
【請求項２７】
前記競合リソースについての前記情報又は前記非競合リソースについての前記情報は、マスタ情報ブロックと、システム情報ブロックと、無線リソース制御シグナリングとのうちいずれか１つで搬送される、
請求項２４乃至２６のいずれか１項に記載のユーザ装置。
【請求項２８】
前記プロセッサが申請により前記基地局から得る前記リソースは、前記競合リソース及び／又は前記非競合リソースを含む、
請求項２４乃至２７のいずれか１項に記載のユーザ装置。
【請求項２９】
Ｘｍｓは、前記基地局によって決定されるか、又は予め定義された時間である、
請求項２５乃至２８のいずれか１項に記載のユーザ装置。
【請求項３０】
前記Ｋ回の競合は、前記基地局によって決定されるか、又は予め定義された回数である、
請求項２５乃至２９のいずれか１項に記載のユーザ装置。
【請求項３１】
前記競合リソースについての前記情報又は前記非競合リソースについての前記情報は、前記伝送リソースの位置する無線フレームにおける前記伝送リソースの数及び／又は位置を含む、
請求項２４乃至３０のいずれか１項に記載のユーザ装置。
【請求項３２】
セルラネットワーク基地局であって、
競合リソースについての情報を第１のユーザ装置に送信するように構成される送信部を備え、
前記競合リソースは、オートノマス競合方式で取得される伝送リソースであり、前記競合リソースは、前記第１のユーザ装置が前記競合リソースに対応する時間ウィンドウ内で伝送リソースについて競合できるようにし、且つ、前記第１のユーザ装置が前記伝送リソースを取得したとき、前記第１のユーザ装置が、取得された前記伝送リソースを用いて、第２のユーザ装置にメッセージを送信できるようにする、
基地局。
【請求項３３】
前記基地局は更に、受信部及びプロセッサを備え、
前記送信部は更に、前記第１のユーザ装置に非競合リソースについての情報を送信するように構成され、前記非競合リソースは、前記基地局によって申請に従って割り当てられる伝送リソースであり、
前記受信部は、前記第１のユーザ装置がＸｍｓ後又はＫ回の競合の後に伝送リソースを取得しなかった場合、前記第１のユーザ装置により前記基地局に出された申請を受信して、伝送リソースの割当てを要求するように構成され、
前記プロセッサは、前記第１のユーザ装置が前記第２のユーザ装置にメッセージを送信できるように、前記申請に従って、前記伝送リソースを前記第１のユーザ装置に割り当てるように構成され、Ｘは有理数であり、Ｋは正の整数である、
請求項３２に記載の基地局。
【請求項３４】
前記競合リソースについての前記情報又は前記非競合リソースについての前記情報は、マスタ情報ブロックと、システム情報ブロックと、無線リソース制御シグナリングとのうちいずれか１つで搬送される、
請求項３２又は３３に記載の基地局。
【請求項３５】
前記プロセッサによって前記第１のユーザ装置に割り当てられる前記伝送リソースは、前記競合リソース及び／又は前記非競合リソースを含む、
請求項３２乃至３４のいずれか１項に記載の基地局。
【請求項３６】
Ｘｍｓは、前記プロセッサによって決定されるか、又は予め定義された時間である、
請求項３３乃至３５のいずれか１項に記載の基地局。
【請求項３７】
前記Ｋ回の競合は、前記プロセッサによって決定されるか、又は予め定義された回数である、
請求項３３乃至３６のいずれか１項に記載の基地局。
【請求項３８】
前記競合リソースについての前記情報又は前記非競合リソースについての前記情報は、前記伝送リソースの位置する無線フレームにおける前記伝送リソースの数及び／又は位置を含む、
請求項３２乃至３７のいずれか１項に記載の方法。
【請求項３９】
第１のユーザ装置及びセルラネットワーク基地局を備える通信システムであって、
前記第１のユーザ装置は、
前記基地局から競合リソースについての情報を受信するように構成される第１のユーザ装置受信部であって、前記競合リソースは、オートノマス競合方式で取得される伝送リソースである、第１のユーザ装置受信部と、
前記受信部によって受信された前記競合リソースについての前記情報に従って、前記競合リソースに対応する時間ウィンドウ内で伝送リソースについて競合ように構成される第１のユーザ装置プロセッサと、
前記プロセッサが前記伝送リソースを取得したとき、取得された前記伝送リソースを用いて、第２のユーザ装置にメッセージを送信するように構成される第１のユーザ装置送信部と、
を有し、
前記基地局は、
前記競合リソースについての前記情報を前記第１のユーザ装置に送信するように構成される基地局送信部、
を有する、通信システム。
【請求項４０】
前記基地局は更に、基地局受信部及び基地局プロセッサを有し、
前記基地局送信部は更に、前記第１のユーザ装置に非競合リソースについての情報を送信するように構成され、前記非競合リソースは、前記基地局によって申請に従って割り当てられる伝送リソースであり、
前記基地局受信部は、前記第１のユーザ装置がＸｍｓ後又はＫ回の競合の後に伝送リソースを取得しなかった場合、前記第１のユーザ装置により前記基地局に出された申請を受信して、伝送リソースの割当てを要求するように構成され、
前記基地局プロセッサは、前記第１のユーザ装置が前記第２のユーザ装置にメッセージを送信できるように、前記申請に従って、前記伝送リソースを前記第１のユーザ装置に割り当てるように構成され、Ｘは有理数であり、Ｋは正の整数である、
請求項３９に記載の通信システム。
【発明の詳細な説明】
【技術分野】
【０００１】
本発明は、通信技術の分野に関し、特に、メッセージ伝送方法、ユーザ装置、基地局及びシステムに関する。
【背景技術】
【０００２】
近年、車両のインターネット（Internet  of  Vehicles）がますます人々の注目を集めている。車両のインターネットでは、道路交通安全性と信頼性を向上させ、交通効率を向上させるために、車両と車両との間の通信（車両対車両、V2V）通信又は車両と路側ユニット（Roadside  Unit、RSU）との間の通信が用いられる。車両のインターネットでは、車両の運転安全性を確保するために、状態情報を車両間で定期的に交換する必要がある。規格や仕様が異なると、情報には、基本安全メッセージ（Basic  Safety  Message、BSM）や協調認識メッセージ（Cooperative-Awareness  Message、CAM）のような異なる名前が付いており、それらはここでは集合的に、周期的状態メッセージ（Periodic  Status  Message、PSM）と呼ばれる。PSMは、車両の“ハートビートパケット”として理解することができ、位置、速度、状態等の車両情報を含み、特定の周波数でシングルホップで周囲の車両にブロードキャストされる。例えば、周波数は10Hzであってよい。車両のインターネットにおけるユーザ装置（User  Equipment）は極めて高速に移動するので、PSMはサービス遅延の要求が非常に高い。
【０００３】
電気電子技術者協会（Institution  of  Electronic  and  Electrical  Engineering、IEEE）802.11p（WAVEとも呼ばれる、Wireless  Access  in  the  Vehicular  Environment）規格は、IEEE802.11規格から拡張された通信プロトコルであり、主に車両電子無線通信に使用される。IEEE802.11p規格は、本質的にIEEE802.11の拡張であり、インテリジェントな輸送システム（Intelligent  Transportation  Systems、ITS）における関連適用に合致する。この適用は、車両間の高速データ交換や車両とITSの路側インフラ間のデータ交換を含む。IEEE802.11p規格には、配備が容易で、コストが低く、成熟した技術であり、車両間通信に適用可能であるという利点がある。しかしながら、この規格には対応する欠点もある。すなわち、多数の車両が存在するとリソースが競合しやすくなり、結果的にシステム性能が悪くなり、遅延が制御できなくなり、サービス品質（QoS：quality  of  service）が保証できなくなり、伝送距離が制限され、多数の路側ユニット（RSU：Roadside  Unit）を配備するコストが非常に高くなってしまう。このような欠点のせいで、IEEE802.11p規格を採用しても、PSMが車両のインターネットにおける高い遅延（delay）要件を有するという問題を解決することはできない。
【０００４】
上述の問題により、既存のセルラネットワークを利用して車両間通信を支援することについて研究を行うことが促進される。現在、セルラ通信には2G／3G／4G技術が用いられる。4Gシステムで使用されるロングタームエボリューション（Long  Term  Evolution、LTE）技術には、高速、低遅延、広いカバレッジエリア、高速モバイル端末のサポート等の利点がある。セルラネットワークにおける車両間通信では、伝送リソースを動的にスケジューリングするために進化型ノードＢ（eNodeB、eNB）のような中央スケジューラをフルに利用することができるので、通信競合確率が低減され、制御不可能な遅延の問題が解決される。
【０００５】
既存のLTEシステムにおいて、UEがデータを送信する必要がある場合、初期送信プロセスにおいて、基本手順が図１に示される。まず、プライマリ同期信号／セカンダリ同期信号（Primary  Synchronization  Signal/Secondary  Synchronization  Signal、PSS/SSS）を検出してダウンリンク同期を実行する必要があり、セル識別（identification、ID）が取得される。次に、マスタ情報ブロック／システム情報ブロック（Master  Information  Block/System  Information  Block、MIB/SIB）が検出されて、セル構成情報が取得される。続いて、UEは、アップリンクランダムアクセスプロセスを開始してアップリンク同期を実行し、スケジューリング要求／バッファステータスレポート（Scheduling  Request/Buffer  Status  Report、SR/BSR）を送信することにより、アップリンクリソース割当て情報を取得し、最後に、割り当てられたリソースを用いてデータを送信する。上述の初期送信プロセスでは、UEがアップリンクランダムアクセスプロセスを開始する必要があるので、非常に大きな遅延が生じる。例えば、遅延は約５０〜１００ｍｓである。加えて、SR/BSR伝送プロセスも余計な遅延を引き起こす。その結果、LTEシステムにおける初期送信プロセスは、車両のインターネットシステムにおける遅延要件を満たすことができない。
【０００６】
加えて、既存のLTEシステムでは、UEが接続状態にあり、あるセルから別のセルに移動する場合にセルハンドオーバが発生する。セルハンドオーバのシグナリング手順を図２に示し、ハンドオーバプロセスを以下に示す。
【０００７】
０．接続が設定されるとき、又はタイミングアドバンス（Timing  Advance、TA）の最終更新中に、UEローミング及びアクセス制限についてのコンテキストがソースeNBに提供される。
【０００８】
１．ソースeNBが、UEローミング及びアクセス制限についての情報に従って、UEに物理レイヤ測定を実行するように指示する。
【０００９】
２．UEが、測定レポートをソースeNBに報告する。
【００１０】
３．ソースeNBが、測定レポート情報及び無線リソース管理（Radio  Resource  Management、RRM）情報に従って、UEがセルをハンドオーバする必要があるか否かを決定する。
【００１１】
４．ソースeNBが、ターゲットeNBに対してハンドオーバ要求を開始し、ハンドオーバに必要な情報をターゲットeNBに送信する。
【００１２】
５．ターゲットeNBが、受信されたサービス品質情報に従って、UEにハンドオーバの実行を許可するか否かを決定する。
【００１３】
６．ターゲットeNBが、ハンドオーバアクナレッジ情報をソースeNBに送信して、UEがセルをハンドオーバすることを許可する。
【００１４】
７．ソースeNBが、無線リソース制御接続再構成メッセージRRCConnectionReconfigurationをUEに送信する。
【００１５】
８．ソースeNBが、ターゲットeNBに、シリアル番号ステータス転送（SN  STATUS  TRANSFER）メッセージを送信する。
【００１６】
９．無線リソース制御接続再構成メッセージRRCConnectionReconfigurationを受信した後、UEが、ターゲットeNBと同期し、ランダムアクセス手順RACHを開始することによりターゲットセルにアクセスする。
【００１７】
１０．ターゲットeNBが、タイミングアドバンス情報及びリソース割当て情報をUEに送信する。
【００１８】
１１．UEがターゲットセルに正常にアクセスした後、UEが、無線リソース制御接続再構成完了メッセージRRCConnectionReconfigurationComplete及びBSRをターゲットセルに送信して、UEがハンドオーバプロセスを完了し、ターゲットeNBがUEにデータを送信できることを示す。
【００１９】
１２．ターゲットeNBが、パス切替要求PATH  SWITCH  REQUESTメッセージを移動管理エンティティMMEに送信して、UEがセルを変更したことをMMEに通知する。
【００２０】
１３．MMEが、変更ベアラ要求MODIFY  BEARER  REQUESTメッセージをサービングゲートウェイ（Serving  Gateway）に送信する。
【００２１】
１４．サービングゲートウェイが、ダウンリンクデータパスをターゲットセル側に切り替える。
【００２２】
１５．サービングゲートウェイが、変更ベアラ応答MODIFY  BEARER  RESPONSEをモビリティ管理エンティティMMEに送信する。
【００２３】
１６．MMEが、パススイッチ要求アクナレッジPATH  SWITCH  REQUEST  ACKNOWLEDGEメッセージを送信することにより、パススイッチ要求PATH  SWITCH  REQUESTメッセージに応答する。
【００２４】
１７．ターゲットeNBが、MMEによって送信されたパス切替要求アクナレッジPATH  SWITCH  REQUEST  ACKNOWLEDGEメッセージを受信した後、UEコンテキスト解放（UE  CONTEXT  RELEASE）メッセージをソースeNBに送信することにより、UEが正常にセルを切り替えたことをソースeNBに通知し、ソースeNBがリソースを解放するようにトリガする。
【００２５】
１８．UEコンテキスト解放メッセージを受信した後、ソースeNBが、UEコンテキストに関連する無線及び制御プレーンのリソースを解放する。
【００２６】
セルハンドオーバプロセスにおいて、UEは、ランダムアクセスプロセスを開始し、ターゲットセルのリソース割当て情報を取得することにより、ターゲットセルにアクセスした後にのみ、サービスを送信することができる。このプロセスは非常に大きな遅延を引き起こす。上述のハンドオーバプロセスは、UEとソース、ターゲットeNBとの間のシグナリング交換や、ソースeNBとターゲットeNBとの間のシグナリング交換を含む、大量のシグナリングオーバヘッドを含む。上述のハンドオーバプロセスが車両のインターネットシステムでセルをハンドオーバするために使用される場合、車両の高速移動機能を原因として、セルが頻繁にハンドオーバされる。その結果、このシステムでは、ハンドオーバ遅延が比較的大きく、シグナリングオーバヘッドが比較的高い。
【発明の概要】
【００２７】
従来技術の課題を解決するために、本発明の実施形態は、既存のセルラネットワークにおける長すぎる遅延の技術的問題、セルハンドオーバプロセスにおける長すぎる遅延と大きすぎる情報オーバヘッドの技術的問題を解決するための、メッセージ伝送方法、ユーザ装置、基地局及びシステムを提供する。
【００２８】
一態様において、本発明の実施形態は、メッセージ伝送方法を提供する。本方法は、第１のユーザ装置が、セルラネットワーク基地局から競合リソースについての情報を受信するステップであって、競合リソースは、オートノマス競合方式で取得される伝送リソースである、ステップと、第１のユーザ装置が、競合リソースに対応する時間ウィンドウ内で伝送リソースについて競合し、伝送リソースが取得された場合、取得された伝送リソースを用いて、メッセージを第２のユーザ装置に送信するステップと、を含む。
【００２９】
別の態様において、本発明の実施形態は、セルラネットワークのセルハンドオーバプロセスにおけるメッセージ伝送方法を提供する。本方法は、第１のユーザ装置が、ソース基地局から測定制御信号を受信し、隣接セル測定の後、ソース基地局に測定レポートを報告するステップと、ハンドオーバが要求される場合、第１のユーザ装置が、ターゲット基地局によって送信された競合リソースについての情報を受信するステップであって、競合リソースは、オートノマス競合方式で取得される伝送リソースである、ステップと、第１のユーザ装置が、競合リソースに対応する時間ウィンドウ内で伝送リソースについて競合し、伝送リソースが取得された場合、取得された伝送リソースを用いて、メッセージを第２のユーザ装置に送信するステップと、を含む。
【００３０】
別の態様において、本発明の実施形態は、リソース構成方法を提供する。本方法は、セルラネットワーク基地局が、競合リソースについての情報を第１のユーザ装置に送信するステップであって、競合リソースは、オートノマス競合方式で取得される伝送リソースであり、競合リソースは、第１のユーザ装置が競合リソースに対応する時間ウィンドウ内で伝送リソースについて競合できるようにし、且つ、第１のユーザ装置が伝送リソースを取得したとき、第１のユーザ装置が、取得された伝送リソースを用いて、第２のユーザ装置にメッセージを送信できるようにするために適用可能である、ステップ、を含む。
【００３１】
別の態様において、本発明の実施形態は、第１のユーザ装置を提供する。本ユーザ装置は、セルラネットワーク基地局から競合リソースについての情報を受信するように構成される受信部であって、競合リソースは、オートノマス競合方式で取得される伝送リソースである、受信部と、受信部によって受信された競合リソースについての情報に従って、競合リソースに対応する時間ウィンドウ内で伝送リソースについて競合ように構成されるプロセッサと、プロセッサが伝送リソースを取得したとき、取得された伝送リソースを用いて、第２のユーザ装置にメッセージを送信するように構成される送信部と、を備える。
【００３２】
別の態様において、本発明の実施形態は、セルラネットワーク基地局を提供する。本基地局は、競合リソースについての情報を第１のユーザ装置に送信するように構成される送信部を備える。競合リソースは、オートノマス競合方式で取得される伝送リソースである。競合リソースは、第１のユーザ装置が競合リソースに対応する時間ウィンドウ内で伝送リソースについて競合できるようにし、第１のユーザ装置が伝送リソースを取得したとき、第１のユーザ装置が、取得された伝送リソースを用いて、第２のユーザ装置にメッセージを送信できるようにする。
【００３３】
別の態様において、本発明の実施形態は、通信システムを提供する。本システムは、第１のユーザ装置及びセルラネットワーク基地局を備える。第１のユーザ装置は、基地局から競合リソースについての情報を受信するように構成される第１のユーザ装置受信部であって、競合リソースは、オートノマス競合方式で取得される伝送リソースである、第１のユーザ装置受信部と、受信部によって受信された競合リソースについての情報に従って、競合リソースに対応する時間ウィンドウ内で伝送リソースについて競合ように構成される第１のユーザ装置プロセッサと、プロセッサが伝送リソースを取得したとき、取得された伝送リソースを用いて、第２のユーザ装置にメッセージを送信するように構成される第１のユーザ装置送信部と、を有する。基地局は、競合リソースについての情報を第１のユーザ装置に送信するように構成される基地局送信部を有する。
【００３４】
本発明の実施形態は、メッセージ送信方法、ユーザ装置、基地局及び通信システムの技術的解決策を提供する。本発明の実施形態では、セルラネットワーク基地局が競合リソースについての情報を送信する。ユーザ装置は、競合リソースについての情報を受信した後、オートノマス競合方式で取得された伝送リソースに対応する時間ウィンドウ内で伝送リソースについて競合し、取得された伝送リソースを用いて、他のユーザ装置にメッセージを送信することができる。したがって、ユーザ装置は、必ずしも最初に基地局にリソースを申請し、メッセージを送信する前に基地局のリソース割当てを待つ必要はなく、オートノマス競合により、基地局によって確保された競合リソースを取得し、メッセージを送信するので、遅延が大幅に低減される。技術的解決策がセルハンドオーバに適用される場合、全ての場合においてターゲット基地局がリソースを割り当てた後にデータを送信する必要はなく、ユーザ装置は、ターゲット基地局によって確保された競合リソースについてオートノマスに競合してから、メッセージを送信する。したがって、遅延とシグナリングオーバヘッドが効果的に低減される。
【図面の簡単な説明】
【００３５】
本発明の実施形態又は従来技術の技術的解決策をより明確に説明するために、実施形態又は従来技術を説明するために必要な添付図面を簡単に説明する。当然ながら、添付図面は以下の説明において、本発明のいくつかの実施形態を示すに過ぎない。当業者であれば、創意工夫なくこれらの添付図面から他の図面を更に得ることができるであろう。
【図１】UEによって実行される初期伝送の基本概略フローチャートである。
【図２】UEによって実行されるセルハンドオーバの基本概略フローチャートである。
【図３】方法本発明の実施形態に係るメッセージ伝送のフローチャートである。
【図４】本発明の実施形態に係るフレーム構造におけるリソース分布の概略図である。
【図５】本発明の実施形態に係るセルハンドオーバプロセスのメッセージ伝送方法のフローチャートである。
【図６】本発明の実施形態に係るユーザ装置の概略構造図である。
【図７】本発明の実施形態に係る通信システムの概略構造図である。
【発明を実施するための形態】
【００３６】
以下、本発明の実施形態における技術的解決策を、本発明の実施形態における添付図面を参照しながら、明確且つ完全に説明する。当然ながら、説明される実施形態は、本発明の実施形態の一部に過ぎず、全部ではない。当業者が創意工夫なく本発明の実施形態に基づいて得た他の実施形態は、全て本発明の保護範囲に包含されるものとする。
【００３７】
実施形態１
図３は、本実施形態に係るメッセージ伝送方法のフローチャートである。本方法は以下のステップを含む。
【００３８】
ステップ301：第１のユーザ装置が、セルラネットワーク基地局から競合リソースについての情報を受信する。競合リソースは、オートノマス競合方式で取得される伝送リソースである。
【００３９】
ステップ302：第１のユーザ装置が、競合リソースに対応する時間ウィンドウ内で伝送リソースについて競合し、伝送リソースが取得された場合、取得された伝送リソースを用いて、メッセージを第２のユーザ装置に送信する。
【００４０】
本実施形態では、第１のユーザ装置によりセルラネットワーク基地局から受信される情報は、競合リソースについての情報を含む。第１のユーザ装置を含むセル内のユーザ装置は、競合リソースについての情報を用いて、リソース内の競合リソースであるサブフレーム／タイムスロット等のリソースを知ることができる。競合リソースの場合、第１のユーザ装置は、基地局によって実行されるリソース割当てを待つ必要なく、伝送リソースについての競合をオートノマスに開始することができる。第１のユーザ装置が競合によって伝送リソースを正常に取得することができた場合、第１のユーザ装置は、取得された伝送リソースに対応する時間ウィンドウ内でメッセージを送信する。必ずしも最初に基地局にリソースを申請し、基地局が伝送リソースをスケジューリングし割り当てるのを待つ必要はない。したがって、遅延が効果的に低減される。この方式では、データ送信の遅延を効果的に低減することができる。この方法をユーザ装置の初期アクセスに適用すると、ユーザ装置のアクセス遅延を効果的に低減することができ、メッセージを他のユーザ装置に素早く送信することができる。
【００４１】
好ましくは、第１のユーザ装置は更に、基地局から非競合リソースについての情報を受信する。非競合リソースは、基地局によって申請に従って割り当てられる伝送リソースである。第１のユーザ装置がＸｍｓ後又はＫ回の競合の後に伝送リソースを取得しなかった場合、第１のユーザ装置は基地局に伝送リソースを申請し、基地局によって割り当てられる伝送リソースを用いて、第２のユーザ装置にメッセージを送信する。Ｘは有理数であり、Ｋは正の整数である。第１のユーザ装置により基地局から取得された情報は、更に、非競合リソースについての情報を含む。すなわち、第１のユーザ装置は、非競合リソースを用いてメッセージを送信することもできる。したがって、所定の時間又は所定の競合回数の後に伝送リソースを取得しない場合、第１のユーザ装置は、基地局に送信リソースを申請し、基地局によって割り当てられた伝送リソースを用いてメッセージを送信することができる。したがって、第１のユーザ装置がオートノマス競合方式で利用可能な伝送リソースを取得できない場合であっても、第１のユーザ装置は依然としてメッセージを送信することができるので、通信品質とユーザ装置のセキュリティが保証される。
【００４２】
好ましくは、第１のユーザが競合リソースに対応する時間ウィンドウ内で伝送リソースについて競合するとき、競合衝突を回避するために、以下のステップが実行される。第１のユーザ装置が競合リソースに対応する時間ウィンドウ内で伝送リソースについて競合することは、具体的には、第１のユーザが、モニタリングにより、伝送リソースがアイドル状態にあり、且つＹｍｓ後に伝送リソースが依然としてアイドル状態にあることを知った場合、第１のユーザ装置が、伝送リソースを用いて、第２のユーザ装置にメッセージを送信すること、を含む。Ｙは有理数である。
【００４３】
好ましくは、競合リソースについての情報又は非競合リソースについての情報は、マスタ情報ブロック（MIB）と、システム情報ブロック（SIB）と、無線リソース制御（RRC）シグナリングとのうちいずれか１つで搬送される。具体的な実施プロセスでは、競合リソースについての情報又は非競合リソースについての情報は、複数の方式で送信されてよい。例えば、競合リソースについての情報又は非競合リソースについての情報は、既存のLTEのMIB、SIB、RRCのうちの１つ以上で送信されてよく、或いは、新しいMIB、新しいSIB、新しいRRCメッセージ又は新しいシグナリングタイプを追加することにより、送信されてよい。
【００４４】
好ましくは、第１のユーザ装置が申請により基地局から取得するリソースは、競合リソース及び／又は非競合リソースを含む。セルラネットワーク基地局が第１のユーザ装置の申請に従って第１のユーザ装置に伝送リソースを割り当てるとき、基地局は、非競合リソースをスケジューリングすることができるだけでなく、利用可能な全ての競合リソースをスケジューリングして、伝送リソースの利用を最大限に向上させることができる。
【００４５】
好ましくは、Ｘｍｓは、基地局によって決定されるか、又は予め定義された時間である。具体的には、所定の時間Ｘｍｓは、競合リソースについての情報その他の情報において、基地局によって割り当てられてよい。予め定義された時間は所定の時間であり、例えば、予め定義された時間は、仕様を用いて予め定義された時間であってよい。
【００４６】
好ましくは、Ｋ回の競合は、基地局によって決定されるか、又は予め定義された回数である。具体的には、競合の回数Ｋは、競合リソースについての情報その他の情報において基地局によって割り当てられてよい。或いは、競合の回数Ｋは予め定義された回数であり、例えば、競合の回数Ｋは、仕様を用いて予め定義された競合の回数であってよい。
【００４７】
好ましくは、競合リソースについての情報又は非競合リソースについての情報は、伝送リソースの位置する無線フレームにおける伝送リソースの数及び／又は位置についての情報を含む。具体的には、競合リソースについての情報又は非競合リソースについての情報は、競合リソースの数の情報と非競合リソースの数の情報（例えば、競合リソースと非競合リソースそれぞれの単一の無線フレームにおいて占有するサブフレーム／タイムスロットの数）を含んでよく、或いは、競合リソース及び非競合リソースの無線フレーム構造における位置分布情報を含んでよい。好ましい指示方法は、ビットマップを用いて、競合リソース及び非競合リソースの分布を示すことである。図４に示されるように、１は、サブフレーム／タイムスロットが非競合リソースであることを示し、０は、サブフレーム／タイムスロットが非競合リソースであることを示す。図４から分かるように、第１〜第７のサブフレーム／タイムスロットは非競合リソースであり、第８〜第１０のサブフレームは競合リソースである。したがって、構成情報に対応するビット情報は1111111000である。別の好ましい表示方法では、例えば、無線フレーム全体の前部が非競合リソースを示し、後部が競合リソースを示すことが規定されてよい。非競合リソースの数がＮである場合、図４に示される非競合リソースでは、ビット0111は非競合リソースの数を示すのに十分であり、すなわち、より少ないビット情報により、非競合リソースと競合リソースの位置及び数を示すことができる。しかしながら、この方法では、非競合リソースと競合リソースとの間の位置関係を示すために、ビット情報を指定するか、或いは追加的に割り当てる必要がある。当然ながら、当業者であれば理解できるように、競合リソース及び非競合リソースは、異なる方式で示すことができる。競合リソースは、非競合リソースの前に位置してよい。或いは、競合リソースと非競合リソースは相互に分布される。
【００４８】
本実施形態における方法は、車載ユーザ装置によって実行されてもよいし、一般のユーザ装置によって実行されてもよい。
【００４９】
実施形態２
図５は、本実施形態に係る、セルラネットワークにおけるセルハンドオーバプロセスのメッセージ伝送方法のフローチャートである。本方法は以下のステップを含む。
【００５０】
501．第１のユーザ装置が、ソース基地局から測定制御信号を受信し、隣接セル測定の後、測定レポートをソース基地局に報告する。
【００５１】
502．ハンドオーバが要求される場合、第１のユーザ装置は、ターゲット基地局によって送信された競合リソースについての情報を受信する。競合リソースは、オートノマス競合方式で取得される伝送リソースである。
【００５２】
503．第１のユーザ装置が、競合リソースに対応する時間ウィンドウ内で伝送リソースについて競合し、伝送リソースが取得された場合、取得された伝送リソースを用いて、メッセージを第２のユーザ装置に送信する。
【００５３】
本実施形態では、第１のユーザ装置がセルラネットワークターゲット基地局から受信する情報は、競合リソースについての情報を含む。第１のユーザ装置を含むセル内のユーザ装置は、競合リソースについての情報を用いて、リソース内の競合リソースであるサブフレーム／タイムスロット等のリソースを知ることができる。第１のユーザ装置がセルハンドオーバプロセスでメッセージを送信する必要があるとき、第１のユーザ装置は、最初に、競合リソースに対応する時間ウィンドウ内で競合リソースの競合を開始する。第１のユーザ装置が競合によって伝送リソースを正常に取得した場合、第１のユーザ装置は、取得された伝送リソースに対応する時間ウィンドウ内でメッセージを送信する。競合により伝送リソースが正常に取得された場合、第１のユーザ装置は、取得された伝送リソースを用いてメッセージを送信する。必ずしも最初にターゲット基地局に申請し、リソース割当てを待つ必要はない。したがって、遅延が効果的に低減される。この方式では、メッセージ送信の遅延を効果的に低減することができる。本方法をユーザ装置のセルハンドオーバに適用すると、ユーザ装置のアクセス遅延を効果的に低減することができ、周期的な状態情報を迅速に車両等の他のユーザ装置に送信することができる。加えて、基地局は、リソーススケジューリング方式において、ユーザ装置がユーザ装置との通信を行うのを補助するだけである。したがって、セルがハンドオーバされているとき、ソース基地局とターゲット基地局との間で情報を交換する必要がないので、シグナリングオーバヘッドが低減される。
【００５４】
好ましくは、第１のユーザ装置は更に、ターゲット基地局から非競合リソースについての情報を受信する。非競合リソースは、ターゲット基地局によって申請に従って割り当てられる伝送リソースである。第１のユーザ装置がＸｍｓ後又はＫ回の競合の後に伝送リソースを取得しなかった場合、第１のユーザ装置はターゲット基地局に伝送リソースを申請し、ターゲット基地局によって割り当てられる伝送リソースを用いて、第２のユーザ装置にメッセージを送信する。Ｘは有理数であり、Ｋは正の整数である。第１のユーザ装置がターゲット基地局から取得する情報は、更に、非競合リソースについての情報を含む。すなわち、第１のユーザ装置は、非競合リソースを用いてメッセージを送信することもできる。したがって、所定の時間又は所定の競合回数の後に伝送リソースを取得しない場合、第１のユーザ装置は、ターゲット基地局に伝送リソースを申請し、ターゲット基地局によって割り当てられた伝送リソースを用いてメッセージを送信してよい。したがって、第１のユーザ装置がオートノマス競合方式で利用可能な伝送リソースを取得できない場合であっても、第１のユーザ装置は依然としてメッセージを送信することができるので、通信品質とユーザ装置のセキュリティが保証される。
【００５５】
好ましくは、第１のユーザが競合リソースに対応する時間ウィンドウ内で伝送リソースについて競合するとき、競合衝突を回避するために、以下のステップが実行される。第１のユーザ装置が競合リソースに対応する時間ウィンドウ内で伝送リソースについて競合することは、具体的には、第１のユーザが、モニタリングにより、伝送リソースがアイドル状態にあり、且つＹｍｓ後に伝送リソースが依然としてアイドル状態にあることを知った場合、第１のユーザ装置が、伝送リソースを用いて、第２のユーザ装置にメッセージを送信すること、を含む。Ｙは有理数である。
【００５６】
好ましくは、競合リソースについての情報又は非競合リソースについての情報は、マスタ情報ブロック（MIB）と、システム情報ブロック（SIB）と、無線リソース制御（RRC）シグナリングとのうちいずれか１つで搬送される。具体的な実施プロセスでは、競合リソースについての情報又は非競合リソースについての情報は、複数の方式で送信されてよい。例えば、競合リソースについての情報又は非競合リソースについての情報は、既存のLTEのMIB、SIB、RRCのうちの１つ以上で送信されてよく、或いは、新しいMIB、新しいSIB、新しいRRCメッセージ又は新しいシグナリングタイプを追加することにより、送信されてよい。
【００５７】
好ましくは、第１のユーザ装置が申請によりターゲット基地局から得るリソースは、競合リソース及び／又は非競合リソースを含む。セルラネットワーク基地局が第１のユーザ装置の申請に従って第１のユーザ装置に伝送リソースを割り当てるとき、基地局は、非競合リソースをスケジューリングすることができるだけでなく、利用可能な全ての競合リソースをスケジューリングして、伝送リソースの利用を最大限に向上させることができる。
【００５８】
好ましくは、Ｘｍｓは、基地局によって決定されるか、又は予め定義された時間である。具体的には、所定の時間Ｘｍｓは、競合リソースについての情報その他の情報において、基地局によって割り当てられてよい。予め定義された時間は所定の時間であり、例えば、予め定義された時間は、仕様を用いて予め定義された時間であってよい。
【００５９】
好ましくは、Ｋ回の競合は、基地局によって決定されるか、又は予め定義された回数である。具体的には、競合の回数Ｋは、競合リソースについての情報その他の情報において基地局によって割り当てられてよい。或いは、競合の回数Ｋは予め定義された回数であり、例えば、競合の回数Ｋは、仕様を用いて予め定義された競合の回数であってよい。
【００６０】
好ましくは、競合リソースについての情報又は非競合リソースについての情報は、リソースの位置する無線フレームにおける競合リソース及び非競合リソースの数及び／又は位置についての情報を含む。具体的には、競合リソースについての情報又は非競合リソースについての情報は、競合リソースの数の情報と非競合リソースの数の情報（例えば、競合リソースと非競合リソースそれぞれの単一の無線フレームにおいて占有するサブフレーム／タイムスロットの数）を含んでよく、或いは、競合リソース及び非競合リソースの無線フレーム構造における位置分布情報を含んでよい。好ましい指示方法は、ビットマップを用いて、競合リソース及び非競合リソースの分布を示すことである。図４に示されるように、１は、サブフレーム／タイムスロットが非競合リソースであることを示し、０は、サブフレーム／タイムスロットが非競合リソースであることを示す。図４から分かるように、第１〜第７のサブフレーム／タイムスロットは非競合リソースであり、第８〜第１０のサブフレームは競合リソースである。したがって、構成情報に対応するビット情報は1111111000である。別の好ましい表示方法では、例えば、無線フレーム全体の前部が非競合リソースを示し、後部が競合リソースを示すことが規定されてよい。非競合リソースの数がＮである場合、図４に示される非競合リソースでは、ビット0111は非競合リソースの数を示すのに十分であり、すなわち、より少ないビット情報により、非競合リソースと競合リソースの位置及び数を示すことができる。しかしながら、この方法では、非競合リソースと競合リソースとの間の位置関係を示すために、ビット情報を指定するか、或いは追加的に割り当てる必要がある。当然ながら、当業者であれば理解できるように、競合リソース及び非競合リソースは、異なる方式で示すことができる。競合リソースは、非競合リソースの前に位置してよい。或いは、競合リソースと非競合リソースは相互に分布される。
【００６１】
本実施形態における方法は、車載ユーザ装置によって実行されてもよいし、一般のユーザ装置によって実行されてもよい。
【００６２】
実施形態３
本実施形態は、リソース構成方法を提供する。本方法は、以下のステップを含む。
【００６３】
セルラネットワーク基地局が、競合リソースについての情報を第１のユーザ装置に送信する。競合リソースは、オートノマス競合方式で取得される伝送リソースである。競合リソースは、第１のユーザ装置が競合リソースに対応する時間ウィンドウ内で伝送リソースについて競合できるようにし、且つ、第１のユーザ装置が伝送リソースを取得したとき、第１のユーザ装置が、取得された伝送リソースを用いて、第２のユーザ装置にメッセージを送信できるようにするために適用可能である。
【００６４】
本実施形態では、セルラネットワーク基地局が、競合リソースについての情報を第１のユーザ装置に送信する。第１のユーザ装置を含むセル内のユーザ装置は、競合リソースについての情報を用いて、リソース内の競合リソースであるサブフレーム／タイムスロット等のリソースを知ることができる。競合リソースについて、第１のユーザ装置は、競合リソースに対応する時間ウィンドウ内で、基地局によって実行されるリソース割当てを待つ必要なく、伝送リソースについて競合することができる。第１のユーザ装置が競合によって伝送リソースを正常に取得した場合、第１のユーザ装置は、取得された伝送リソースを用いてメッセージを送信する。必ずしも最初に基地局にリソースを申請し、基地局が伝送リソースをスケジューリングし割り当てるのを待つ必要はない。したがって、遅延が効果的に低減される。この方式では、データ送信の遅延を効果的に低減することができる。この方法をユーザ装置の初期アクセスに適用すると、ユーザ装置のアクセス遅延を効果的に低減することができ、情報を他のユーザ装置に素早く送信することができる。加えて、本方法をセルハンドオーバに適用すると、基地局は、リソーススケジューリング方式において、ユーザ装置がユーザ装置との通信を行うのを補助するだけである。したがって、セルがハンドオーバされているとき、ソース基地局とターゲット基地局との間で情報を交換する必要がないので、シグナリングオーバヘッドが低減される。
【００６５】
好ましくは、基地局は更に、第１のユーザ装置に非競合リソースについての情報を送信する。非競合リソースは、ターゲット基地局によって申請に従って割り当てられる伝送リソースである。第１のユーザ装置がＸｍｓ後又はＫ回の競合の後に伝送リソースを取得しなかった場合、第１のユーザ装置は基地局に伝送リソースを申請し、基地局によって割り当てられる伝送リソースを用いて、第２のユーザ装置にメッセージを送信する。Ｘは有理数であり、Ｋは正の整数である。基地局が第１のユーザ装置に送信する情報は、更に、非競合リソースについての情報を含む。すなわち、第１のユーザ装置は、非競合リソースを用いてメッセージを送信することもできる。したがって、所定の時間又は所定の競合回数の後に伝送リソースを取得しない場合、第１のユーザ装置は、基地局に送信リソースを申請し、基地局によって割り当てられた伝送リソースを用いてメッセージを送信することができる。したがって、本実施形態のリソース割当て方法では、第１のユーザ装置が競合により利用可能な伝送リソースを取得できなかったとしても、第１のユーザ装置は依然としてメッセージを送信することができるので、通信品質とユーザ装置のセキュリティが保証される。
【００６６】
好ましくは、競合リソースについての情報又は非競合リソースについての情報は、マスタ情報ブロック（MIB）と、システム情報ブロック（SIB）と、無線リソース制御（RRC）シグナリングのうちいずれか１つで定義される。具体的な実施プロセスでは、競合リソースについての情報又は非競合リソースについての情報は、複数の方式で送信されてよい。例えば、競合リソースのメッセージ又は非競合リソースについての情報は、既存のLTEのMIB、SIB、RRCのうちの１つ以上で送信されてよく、或いは、新しいMIB、新しいSIB、新しいRRCメッセージ又は新しいシグナリングタイプを追加することにより、送信されてよい。
【００６７】
好ましくは、基地局が第１のユーザ装置に割り当てるリソースは、競合リソース及び／又は非競合リソースを含む。セルラネットワーク基地局が第１のユーザ装置の申請に従って第１のユーザ装置に伝送リソースを割り当てるとき、基地局は、非競合リソースをスケジューリングすることができるだけでなく、利用可能な全ての競合リソースをスケジューリングして、伝送リソースの利用を最大限に向上させることができる。
【００６８】
好ましくは、Ｘｍｓは、基地局によって決定されるか、又は予め定義された時間である。具体的には、所定の時間Ｘｍｓは、競合リソースについての情報その他の情報において、基地局によって割り当てられてよい。予め定義された時間は所定の時間であり、例えば、予め定義された時間は、仕様を用いて予め定義された時間であってよい。
【００６９】
好ましくは、Ｋ回の競合は、基地局によって決定されるか、又は予め定義された回数である。具体的には、競合の回数Ｋは、競合リソースについての情報その他の情報において基地局によって割り当てられてよい。或いは、競合の回数Ｋは予め定義された回数であり、例えば、競合の回数Ｋは、仕様を用いて予め定義された競合の回数であってよい。
【００７０】
好ましくは、競合リソースについての情報又は非競合リソースについての情報は、リソースの位置する無線フレームにおける競合リソース及び非競合リソースの数及び／又は位置についての情報を含む。具体的には、競合リソースについての情報又は非競合リソースについての情報は、競合リソースの数の情報と非競合リソースの数の情報（例えば、競合リソースと非競合リソースそれぞれの単一の無線フレームにおいて占有するサブフレーム／タイムスロットの数）を含んでよく、或いは、競合リソース及び非競合リソースの無線フレーム構造における位置分布情報を含んでよい。好ましい指示方法は、ビットマップを用いて、競合リソース及び非競合リソースの分布を示すことである。図４に示されるように、１は、サブフレーム／タイムスロットが非競合リソースであることを示し、０は、サブフレーム／タイムスロットが非競合リソースであることを示す。図４から分かるように、第１〜第７のサブフレーム／タイムスロットは非競合リソースであり、第８〜第１０のサブフレームは競合リソースである。したがって、構成情報に対応するビット情報は1111111000である。別の好ましい表示方法では、例えば、フレーム全体の前部が非競合リソースを示し、後部が競合リソースを示すことが規定されてよい。非競合リソースの数がＮである場合、図４に示される非競合リソースでは、ビット0111は非競合リソースの数を示すのに十分であり、すなわち、より少ないビット情報により、非競合リソースと競合リソースの位置及び数を示すことができる。しかしながら、この方法では、非競合リソースと競合リソースとの間の位置関係を示すために、ビット情報を指定するか、或いは追加的に割り当てる必要がある。当然ながら、当業者であれば理解できるように、競合リソース及び非競合リソースは、異なる方式で示すことができる。競合リソースは、非競合リソースの前に位置してよい。或いは、競合リソースと非競合リソースは相互に分布される。
【００７１】
なお、本実施形態のユーザ装置は、車載ユーザ装置であってもよいし、一般のユーザ装置であってもよい。
【００７２】
実施形態４
図６は、本実施形態に係る第１のユーザ装置の構造図である。本ユーザ装置は、
セルラネットワーク基地局から競合リソースについての情報を受信するように構成される受信部601であって、競合リソースは、オートノマス競合方式で取得される伝送リソースである、受信部601と、
受信部によって受信された競合リソースについての情報に従って、競合リソースに対応する時間ウィンドウ内で伝送リソースについて競合ように構成されるプロセッサ602と、
プロセッサが伝送リソースを取得したとき、取得された伝送リソースを用いて、第２のユーザ装置にメッセージを送信するように構成される送信部603と、
を備える。
【００７３】
本実施形態では、受信部601は、競合リソースについての情報を受信する。第１のユーザ装置を含むセル内のユーザ装置は、競合リソースについての情報を用いて、リソース内の競合リソースであるサブフレーム／タイムスロット等のリソースを知ることができる。第１のユーザ装置は、初期アクセスプロセス又はセルハンドオーバプロセスでメッセージを送信する必要がある場合、最初に、競合リソースに対応する時間ウィンドウ内で伝送リソースについて競合する。第１のユーザ装置が競合によって伝送リソースを正常に取得した場合、第１のユーザ装置は、取得された伝送リソースを用いてメッセージを送信する。必ずしも最初に基地局に申請し、リソース割当てを待つ必要はない。したがって、遅延が効果的に低減される。ユーザ装置を用いることにより、メッセージ送信の遅延を効果的に低減することができる。初期アクセスの間、ユーザ装置のアクセス遅延を効果的に低減することができ、メッセージを他のユーザ装置に素早く送信することができる。加えて、ユーザ装置がセルハンドオーバに適用される場合、基地局は、リソーススケジューリング方式において、ユーザ装置がユーザ装置との通信を行うのを補助するだけである。したがって、セルがハンドオーバされているとき、ソース基地局とターゲット基地局との間で情報を交換する必要がないので、シグナリングオーバヘッドが低減される。
【００７４】
好ましくは、受信部は更に、基地局から非競合リソースについての情報を受信するように構成される。非競合リソースは、基地局によって申請に従って割り当てられる伝送リソースである。プロセッサは更に、第１のユーザ装置がＸｍｓ後又はＫ回の競合の後に伝送リソースを取得しなかった場合、基地局に伝送リソースを申請するように構成される。Ｘは有理数であり、Ｋは正の整数である。受信部により基地局から取得される情報は、更に、非競合リソースについての情報を含む。すなわち、第１のユーザ装置は、非競合リソースを用いてメッセージを送信することもできる。したがって、所定の時間又は所定の競合回数の後に伝送リソースを取得しない場合、第１のユーザ装置のプロセッサは、基地局に送信リソースを申請し、基地局によって割り当てられた伝送リソースを用いてメッセージを送信することができる。したがって、第１のユーザ装置のプロセッサが競合により利用可能な伝送リソースを取得できない場合であっても、第１のユーザ装置は依然としてメッセージを送信することができるので、通信品質とユーザ装置のセキュリティが保証される。
【００７５】
好ましくは、競合衝突を回避するために、プロセッサが競合リソースに対応する時間ウィンドウ内で伝送リソースについて競合するように構成されることは、具体的には、プロセッサが、モニタリングにより、伝送リソースがアイドル状態にあり、且つＹｍｓ後に伝送リソースが依然としてアイドル状態にあることを知った場合、プロセッサが送信部に、伝送リソースを用いて第２のユーザ装置にメッセージを送信するように命令するように構成されること、を含む。Ｙは有理数である。
【００７６】
好ましくは、競合リソースについての情報又は非競合リソースについての情報は、マスタ情報ブロックと、システム情報ブロックと、無線リソース制御シグナリングとのうちいずれか１つで搬送される。
【００７７】
好ましくは、プロセッサが申請により基地局から得るリソースは、競合リソース及び／又は非競合リソースを含む。セルラネットワーク基地局がプロセッサの申請に従って第１のユーザ装置に伝送リソースを割り当てるとき、基地局は、非競合リソースをスケジューリングすることができるだけでなく、利用可能な全ての競合リソースをスケジューリングして、伝送リソースの利用を最大限に向上させることができる。
【００７８】
好ましくは、Ｘｍｓは、基地局によって決定されるか、又は予め定義された時間である。具体的には、所定の時間Ｘｍｓは、競合リソースについての情報その他の情報において、基地局によって割り当てられてよい。予め定義された時間は所定の時間であり、例えば、予め定義された時間は、仕様を用いて予め定義された時間であってよい。
【００７９】
好ましくは、Ｋ回の競合は、基地局によって決定されるか、又は予め定義された回数である。具体的には、競合の回数Ｋは、競合リソースについての情報その他の情報において基地局によって割り当てられてよい。或いは、競合の回数Ｋは予め定義された回数であり、例えば、競合の回数Ｋは、仕様を用いて予め定義された競合の回数であってよい。
【００８０】
好ましくは、競合リソースについての情報又は非競合リソースについての情報は、リソースの位置する無線フレームにおける競合リソース及び非競合リソースの数及び／又は位置についての情報を含む。具体的には、競合リソースについての情報又は非競合リソースについての情報は、競合リソースの数の情報と非競合リソースの数の情報（例えば、競合リソースと非競合リソースそれぞれの単一の無線フレームにおいて占有するサブフレーム／タイムスロットの数）を含んでよく、或いは、競合リソース及び非競合リソースのフレーム構造における位置分布情報を含んでよい。好ましい指示方法は、ビットマップを用いて、競合リソース及び非競合リソースの分布を示すことである。図４に示されるように、１は、サブフレーム／タイムスロットが非競合リソースであることを示し、０は、サブフレーム／タイムスロットが非競合リソースであることを示す。図４から分かるように、第１〜第７のサブフレーム／タイムスロットは非競合リソースであり、第８〜第１０のサブフレームは競合リソースである。したがって、構成情報に対応するビット情報は1111111000である。別の好ましい表示方法では、例えば、無線フレーム全体の前部が非競合リソースを示し、後部が競合リソースを示すことが規定されてよい。非競合リソースの数がＮである場合、図４に示される非競合リソースでは、ビット0111は非競合リソースの数を示すのに十分であり、すなわち、より少ないビット情報により、非競合リソースと競合リソースの位置及び数を示すことができる。しかしながら、この方法では、非競合リソースと競合リソースとの間の位置関係を示すために、ビット情報を指定するか、或いは追加的に割り当てる必要がある。当然ながら、当業者であれば理解できるように、競合リソース及び非競合リソースは、異なる方式で示すことができる。競合リソースは、非競合リソースの前に位置してよい。或いは、競合リソースと非競合リソースは相互に分布される。
【００８１】
なお、本実施形態のユーザ装置は、車載ユーザ装置であってもよいし、一般のユーザ装置であってもよい。
【００８２】
実施形態５
本実施形態は、セルラネットワーク基地局を提供する。本基地局は、
競合リソースについての情報を第１のユーザ装置に送信するように構成される送信部を備え、
競合リソースは、オートノマス競合方式で取得される伝送リソースであり、競合リソースは、第１のユーザ装置が競合リソースに対応する時間ウィンドウ内で伝送リソースについて競合できるようにし、且つ、第１のユーザ装置が伝送リソースを取得したとき、第１のユーザ装置が、取得された伝送リソースを用いて、第２のユーザ装置にメッセージを送信できるようにする。
【００８３】
本実施形態では、送信部は、競合リソースについての情報を送信する。第１のユーザ装置は、競合リソースについての情報を用いて、リソース内の競合リソースであるサブフレーム／タイムスロット等のリソースを知ることができる。第１のユーザ装置は、初期アクセスプロセス又はセルハンドオーバプロセスでメッセージを送信する必要がある場合、最初に、競合リソースに対応する時間ウィンドウ内で伝送リソースについて競合する。第１のユーザ装置が競合によって伝送リソースを正常に取得した場合、第１のユーザ装置は、取得された伝送リソースを用いてメッセージを送信する。必ずしも最初に基地局に申請し、リソース割当てを待つ必要はない。したがって、遅延が効果的に低減される。この方式では、データ送信の遅延を効果的に低減することができる。基地局がユーザ装置の初期アクセスに適用される場合、ユーザ装置のアクセス遅延を効果的に低減することができ、情報を他のユーザ装置に素早く送信することができる。加えて、基地局がセルハンドオーバに適用される場合、基地局は、リソーススケジューリング方式において、ユーザ装置がユーザ装置との通信を行うのを補助するだけである。したがって、セルがハンドオーバされているとき、ソース基地局とターゲット基地局との間で情報を交換する必要がないので、シグナリングオーバヘッドが低減される。
【００８４】
好ましくは、基地局は更に、受信部及びプロセッサを備える。送信部は更に、第１のユーザ装置に非競合リソースについての情報を送信するように構成される。非競合リソースは、基地局によって申請に従って割り当てられる伝送リソースである。受信部は、第１のユーザ装置がＸｍｓ後又はＫ回の競合の後に伝送リソースを取得しなかった場合、第１のユーザ装置により基地局に出された申請を受信して、伝送リソースの割当てを要求するように構成される。プロセッサは、第１のユーザ装置が第２のユーザ装置にメッセージを送信できるように、申請に従って、伝送リソースを第１のユーザ装置に割り当てるように構成される。Ｘは有理数であり、Ｋは正の整数である。送信部が第１のユーザ装置に送信する情報は、更に、非競合リソースについての情報を含む。すなわち、第１のユーザ装置は、非競合リソースを用いてメッセージを送信することもできる。したがって、所定の時間又は所定の競合回数の後に伝送リソースを取得しない場合、第１のユーザ装置は、基地局に送信リソースを申請し、基地局によって割り当てられた伝送リソースを用いてメッセージを送信することができる。したがって、本実施形態の基地局では、第１のユーザ装置が競合により利用可能な伝送リソースを取得できなかったとしても、第１のユーザ装置は依然としてメッセージを送信することができるので、通信品質とユーザ装置のセキュリティが保証される。
【００８５】
好ましくは、競合リソースについての情報又は非競合リソースについての情報は、マスタ情報ブロック（MIB）と、システム情報ブロック（SIB）と、無線リソース制御（RRC）シグナリングとのうちいずれか１つで搬送される。具体的な実施プロセスでは、競合リソースについての情報又は非競合リソースについての情報は、複数の方式で送信されてよい。例えば、競合リソースについての情報又は非競合リソースについての情報は、既存のLTEのMIB、SIB、RRCのうちの１つ以上で送信されてよく、或いは、新しいMIB、新しいSIB、新しいRRCメッセージ又は新しいシグナリングタイプを追加することにより、送信されてよい。
【００８６】
好ましくは、プロセッサによって第１のユーザ装置に割り当てられる伝送リソースは、競合リソース及び／又は非競合リソースを含む。セルラネットワーク基地局が第１のユーザ装置の申請に従って第１のユーザ装置に伝送リソースを割り当てるとき、プロセッサは、非競合リソースをスケジューリングすることができるだけでなく、利用可能な全ての競合リソースをスケジューリングして、伝送リソースの利用を最大限に向上させることができる。
【００８７】
好ましくは、Ｘｍｓは、プロセッサによって決定されるか、又は予め定義された時間である。具体的には、所定の時間は、競合リソースについての情報その他の情報において、プロセッサによって割り当てられてよい。所定の時間は予め定義された時間であり、仕様を用いて予め定義された時間である。
【００８８】
好ましくは、Ｋ回の競合は、プロセッサによって決定されるか、又は予め定義された回数である。具体的には、競合の回数Ｋは、競合リソースについての情報その他の情報においてプロセッサによって割り当てられてよい。或いは、競合の回数Ｋは予め定義された回数であり、例えば、競合の回数Ｋは、仕様を用いて予め定義された競合の回数であってよい。
【００８９】
好ましくは、競合リソースについての情報又は非競合リソースについての情報は、リソースの位置する無線フレームにおける競合リソース及び非競合リソースの数及び／又は位置についての情報を含む。具体的には、競合リソースについての情報又は非競合リソースについての情報は、競合リソースの数の情報と非競合リソースの数の情報（例えば、競合リソースと非競合リソースそれぞれの単一の無線フレームにおいて占有するサブフレーム／タイムスロットの数）を含んでよく、或いは、競合リソース及び非競合リソースのフレーム構造における位置分布情報を含んでよい。好ましい指示方法は、ビットマップを用いて、競合リソース及び非競合リソースの分布を示すことである。図４に示されるように、１は、サブフレーム／タイムスロットが非競合リソースであることを示し、０は、サブフレーム／タイムスロットが非競合リソースであることを示す。図４から分かるように、第１〜第７のサブフレーム／タイムスロットは非競合リソースであり、第８〜第１０のサブフレームは競合リソースである。したがって、構成情報に対応するビット情報は1111111000である。別の好ましい表示方法では、例えば、無線フレーム全体の前部が非競合リソースを示し、後部が競合リソースを示すことが規定されてよい。非競合リソースの数がＮである場合、図４に示される非競合リソースでは、ビット0111は非競合リソースの数を示すのに十分であり、すなわち、より少ないビット情報により、非競合リソースと競合リソースの位置及び数を示すことができる。しかしながら、この方法では、非競合リソースと競合リソースとの間の位置関係を示すために、ビット情報を指定するか、或いは追加的に割り当てる必要がある。当然ながら、当業者であれば理解できるように、競合リソース及び非競合リソースは、異なる方式で示すことができる。競合リソースは、非競合リソースの前に位置してよい。或いは、競合リソースと非競合リソースは相互に分布される。
【００９０】
本実施形態のユーザ装置は、車載ユーザ装置であってもよいし、一般のユーザ装置であってもよい。
【００９１】
実施形態６
図７は、本実施形態に係る通信システムの構造図である。本通信システムは、第１のユーザ装置及びセルラネットワーク基地局を備える。
【００９２】
第１のユーザ装置は、
基地局から競合リソースについての情報を受信するように構成される第１のユーザ装置受信部701であって、競合リソースは、オートノマス競合方式で取得される伝送リソースである、第１のユーザ装置受信部701と、
受信部によって受信された競合リソースについての情報に従って、競合リソースに対応する時間ウィンドウ内で伝送リソースについて競合ように構成される第１のユーザ装置プロセッサ702と、
プロセッサが伝送リソースを取得したとき、取得された伝送リソースを用いて、第２のユーザ装置にメッセージを送信するように構成される第１のユーザ装置送信部703と、
を備える。
【００９３】
基地局は、
競合リソースについての情報を第１のユーザ装置に送信するように構成される基地局送信部704、
を備える。
【００９４】
本実施形態では、第１のユーザ装置を含むセル内のユーザ装置は、競合リソースについての情報を用いて、リソース内の競合リソースであるサブフレーム／タイムスロット等のリソースを知ることができる。競合リソースについて、第１のユーザ装置は、基地局によって実行されるリソース割当てを待つ必要なく、競合リソースについて競合を開始することができる。第１のユーザ装置が競合によって伝送リソースを正常に取得した場合、第１のユーザ装置は、取得された競合リソースを用いてデータを送信する。必ずしも最初に基地局にリソースを申請する必要はない。したがって、遅延が効果的に低減される。この方式では、データ送信の遅延を効果的に低減することができる。通信システムが初期アクセスに適用される場合、ユーザ装置のアクセス遅延を効果的に低減することができ、情報を他のユーザ装置に素早く送信することができる。加えて、通信システムがセルハンドオーバに適用される場合、基地局は、リソーススケジューリング方式において、ユーザ装置がユーザ装置との通信を行うのを補助するだけである。したがって、セルがハンドオーバされているとき、ソース基地局とターゲット基地局との間で情報を交換する必要がないので、シグナリングオーバヘッドが低減される。
【００９５】
好ましくは、基地局は更に、基地局受信部及び基地局プロセッサを有する。基地局送信部は更に、第１のユーザ装置に非競合リソースについての情報を送信するように構成される。非競合リソースは、基地局によって申請に従って割り当てられる伝送リソースである。基地局受信部は、第１のユーザ装置がＸｍｓ後又はＫ回の競合の後に伝送リソースを取得しなかった場合、第１のユーザ装置により基地局に出された申請を受信して、伝送リソースの割当てを要求するように構成される。基地局プロセッサは、第１のユーザ装置が第２のユーザ装置にメッセージを送信できるように、申請に従って、伝送リソースを第１のユーザ装置に割り当てるように構成される。Ｘは有理数であり、Ｋは正の整数である。基地局送信部により第１のユーザ装置に送信される情報は、更に、非競合リソースについての情報を含む。すなわち、第１のユーザ装置は、非競合リソースを用いてメッセージを送信することもできる。したがって、所定の時間又は所定の競合回数の後に伝送リソースを取得しない場合、第１のユーザ装置は、基地局に送信リソースを申請し、基地局によって割り当てられた伝送リソースを用いてメッセージを送信することができる。したがって、本実施形態の基地局では、第１のユーザ装置が競合により利用可能な伝送リソースを取得できなかったとしても、第１のユーザ装置は依然としてメッセージを送信することができるので、通信品質とユーザ装置のセキュリティが保証される。
【００９６】
本実施形態のユーザ装置は、車載ユーザ装置であってもよいし、一般のユーザ装置であってもよい。
【００９７】
当業者であれば明確に理解できるように、本発明の実施形態では、メッセージ送信方法、リソース構成方法、セルハンドオーバプロセスにおけるメッセージ送信方法、ユーザ装置、基地局及び通信システムは、車両のインターネットにおける通信に用いることができるだけでなく、任意の他のシナリオでの通信にも用いることができる。本発明の実施形態におけるユーザ装置は、異なる速度で移動状態にあり得る車両、車載ユーザ装置及び通信機器を含むが、これに限定されない。
【００９８】
当業者であれば明確に理解できるように、本発明の技術は、必須の汎用ハードウェアプラットフォームに加えて、ソフトウェアによって実現されてよい。このような理解に基づいて、本発明の技術的解決策は本質的に、或いは従来技術に寄与する部分は、ソフトウェア製品の形態で実施されてよい。ソフトウェア製品は、ＲＯＭ／ＲＡＭ、磁気ディスク、光ディスク等の記憶媒体に記憶されてよく、コンピュータ装置（パーソナルコンピュータ、サーバ或いはネットワーク装置であってよい）に本発明の実施形態又は実施形態の一部に記載された方法を実行するように命令するためのいくつかの命令を含む。
【００９９】
以上の説明は、本発明の具体的な実施形態に過ぎず、本発明の保護範囲を限定するものではない。本発明に開示された技術的範囲内で当業者が容易に想到できる変形又は置換は、いずれも本発明の保護範囲に包含されるものとする。したがって、本発明の保護範囲は、特許請求の範囲の保護範囲に属するものとする。
【図１】
2017535206.tif 000003
【図２】
2017535206.tif 000004
【図３】
2017535206.tif 000005
【図４】
2017535206.tif 000006
【図５】
2017535206.tif 000007
【図６】
2017535206.tif 000008
【図７】
2017535206.tif 000009
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
第１のユーザ装置が、セルラネットワーク基地局から競合リソースについての情報を受信するステップであって、前記競合リソースは、オートノマス競合方式で取得される伝送リソースである、ステップと、
前記第１のユーザ装置が、前記競合リソースに対応する時間ウィンドウ内で伝送リソースについて競合し、前記伝送リソースが取得された場合、取得された前記伝送リソースを用いて、メッセージを第２のユーザ装置に送信するステップと、
を含むメッセージ伝送方法。
【請求項２】
前記第１のユーザ装置は更に、前記基地局から非競合リソースについての情報を受信し、前記非競合リソースは、前記基地局によって申請に従って割り当てられる伝送リソースであり、前記第１のユーザ装置がＸｍｓ後又はＫ回の競合の後に伝送リソースを取得しなかった場合、前記第１のユーザ装置は前記基地局に伝送リソースを申請し、前記基地局によって割り当てられる伝送リソースを用いて、前記第２のユーザ装置にメッセージを送信し、Ｘは有理数であり、Ｋは正の整数である、
請求項１に記載の方法。
【請求項３】
前記第１のユーザ装置が、前記競合リソースに対応する時間ウィンドウ内で伝送リソースについて競合する前記ステップは、具体的には、
前記第１のユーザ装置が、モニタリングにより、前記伝送リソースがアイドル状態にあり、且つＹｍｓ後に前記伝送リソースが依然としてアイドル状態にあることを知った場合、前記第１のユーザ装置が、前記伝送リソースを用いて、前記第２のユーザ装置にメッセージを送信するステップであって、Ｙは有理数である、ステップと、
を含む、請求項１又は２に記載の方法。
【請求項４】
前記競合リソースについての前記情報又は前記非競合リソースについての前記情報は、マスタ情報ブロックと、システム情報ブロックと、無線リソース制御シグナリングとのうちいずれか１つで搬送される、
請求項１乃至３のいずれか１項に記載の方法。
【請求項５】
セルラネットワークのセルハンドオーバプロセスにおけるメッセージ伝送方法であって、
第１のユーザ装置が、ソース基地局から測定制御信号を受信し、隣接セル測定の後、前記ソース基地局に測定レポートを報告するステップと、
ハンドオーバが要求される場合、前記第１のユーザ装置が、ターゲット基地局によって送信された競合リソースについての情報を受信するステップであって、前記競合リソースは、オートノマス競合方式で取得される伝送リソースである、ステップと、
前記第１のユーザ装置が、前記競合リソースに対応する時間ウィンドウ内で伝送リソースについて競合し、前記伝送リソースが取得された場合、取得された前記伝送リソースを用いて、メッセージを第２のユーザ装置に送信するステップと、
を含む方法。
【請求項６】
前記第１のユーザ装置は更に、前記ターゲット基地局から非競合リソースについての情報を受信し、前記非競合リソースは、前記ターゲット基地局によって申請に従って割り当てられる伝送リソースであり、前記第１のユーザ装置がＸｍｓ後又はＫ回の競合の後に伝送リソースを取得しなかった場合、前記第１のユーザ装置は前記ターゲット基地局に伝送リソースを申請し、前記ターゲット基地局によって割り当てられる伝送リソースを用いて、前記第２のユーザ装置にメッセージを送信し、Ｘは有理数であり、Ｋは正の整数である、
請求項５に記載の方法。
【請求項７】
前記競合リソースについての前記情報又は前記非競合リソースについての前記情報は、マスタ情報ブロックと、システム情報ブロックと、無線リソース制御シグナリングとのうちいずれか１つで搬送される、
請求項５又は６に記載の方法。
【請求項８】
Ｘｍｓは、前記ターゲット基地局によって決定されるか、又は予め定義された時間である、
請求項６又は７に記載の方法。
【請求項９】
前記Ｋ回の競合は、前記ターゲット基地局によって決定されるか、又は予め定義された回数である、
請求項６乃至８のいずれか１項に記載の方法。
【請求項１０】
前記競合リソースについての前記情報又は前記非競合リソースについての前記情報は、前記伝送リソースの位置する無線フレームにおける前記伝送リソースの数及び／又は位置を含む、
請求項５乃至９のいずれか１項に記載の方法。
【請求項１１】
第１のユーザ装置であって、
セルラネットワーク基地局から競合リソースについての情報を受信するように構成される受信部であって、前記競合リソースは、オートノマス競合方式で取得される伝送リソースである、受信部と、
前記受信部によって受信された前記競合リソースについての前記情報に従って、前記競合リソースに対応する時間ウィンドウ内で伝送リソースについて競合ように構成されるプロセッサと、
前記プロセッサが前記伝送リソースを取得したとき、取得された前記伝送リソースを用いて、第２のユーザ装置にメッセージを送信するように構成される送信部と、
を備えるユーザ装置。
【請求項１２】
前記受信部は更に、前記基地局から非競合リソースについての情報を受信するように構成され、前記非競合リソースは、前記基地局によって申請に従って割り当てられる伝送リソースであり、
前記プロセッサは更に、前記第１のユーザ装置がＸｍｓ後又はＫ回の競合の後に伝送リソースを取得しなかった場合、前記基地局に伝送リソースを申請するように構成され、Ｘは有理数であり、Ｋは正の整数である、
請求項１１に記載のユーザ装置。
【請求項１３】
前記プロセッサが前記競合リソースに対応する時間ウィンドウ内で伝送リソースについて競合するように構成されることは、具体的には、
前記プロセッサは、前記プロセッサが、モニタリングにより、前記伝送リソースがアイドル状態にあり、且つＹｍｓ後に前記伝送リソースが依然としてアイドル状態にあることを知った場合、前記送信部に、前記伝送リソースを用いて前記第２のユーザ装置にメッセージを送信するように命令するように構成され、Ｙは有理数である、
請求項１２に記載のユーザ装置。
【請求項１４】
前記競合リソースについての前記情報又は前記非競合リソースについての前記情報は、マスタ情報ブロックと、システム情報ブロックと、無線リソース制御シグナリングとのうちいずれか１つで搬送される、
請求項１１乃至１３のいずれか１項に記載のユーザ装置。
【請求項１５】
セルラネットワーク基地局であって、
競合リソースについての情報を第１のユーザ装置に送信するように構成される送信部を備え、
前記競合リソースは、オートノマス競合方式で取得される伝送リソースであり、前記競合リソースは、前記第１のユーザ装置が前記競合リソースに対応する時間ウィンドウ内で伝送リソースについて競合できるようにし、且つ、前記第１のユーザ装置が前記伝送リソースを取得したとき、前記第１のユーザ装置が、取得された前記伝送リソースを用いて、第２のユーザ装置にメッセージを送信できるようにする、
基地局。
【請求項１６】
前記基地局は更に、受信部及びプロセッサを備え、
前記送信部は更に、前記第１のユーザ装置に非競合リソースについての情報を送信するように構成され、前記非競合リソースは、前記基地局によって申請に従って割り当てられる伝送リソースであり、
前記受信部は、前記第１のユーザ装置がＸｍｓ後又はＫ回の競合の後に伝送リソースを取得しなかった場合、前記第１のユーザ装置により前記基地局に出された申請を受信して、伝送リソースの割当てを要求するように構成され、
前記プロセッサは、前記第１のユーザ装置が前記第２のユーザ装置にメッセージを送信できるように、前記申請に従って、前記伝送リソースを前記第１のユーザ装置に割り当てるように構成され、Ｘは有理数であり、Ｋは正の整数である、
請求項１５に記載の基地局。
【請求項１７】
前記競合リソースについての前記情報又は前記非競合リソースについての前記情報は、マスタ情報ブロックと、システム情報ブロックと、無線リソース制御シグナリングとのうちいずれか１つで搬送される、
請求項１５又は１６に記載の基地局。
【請求項１８】
Ｘｍｓは、前記プロセッサによって決定されるか、又は予め定義された時間である、
請求項１６又は１７に記載の基地局。
【請求項１９】
前記Ｋ回の競合は、前記プロセッサによって決定されるか、又は予め定義された回数である、
請求項１６乃至１８のいずれか１項に記載の基地局。
【請求項２０】
前記競合リソースについての前記情報又は前記非競合リソースについての前記情報は、前記伝送リソースの位置する無線フレームにおける前記伝送リソースの数及び／又は位置を含む、
請求項１５乃至１９のいずれか１項に記載の基地局。
【請求項２１】
第１のユーザ装置及びセルラネットワーク基地局を備える通信システムであって、
前記第１のユーザ装置は、
前記基地局から競合リソースについての情報を受信するように構成される第１のユーザ装置受信部であって、前記競合リソースは、オートノマス競合方式で取得される伝送リソースである、第１のユーザ装置受信部と、
前記受信部によって受信された前記競合リソースについての前記情報に従って、前記競合リソースに対応する時間ウィンドウ内で伝送リソースについて競合ように構成される第１のユーザ装置プロセッサと、
前記プロセッサが前記伝送リソースを取得したとき、取得された前記伝送リソースを用いて、第２のユーザ装置にメッセージを送信するように構成される第１のユーザ装置送信部と、
を有し、
前記基地局は、
前記競合リソースについての前記情報を前記第１のユーザ装置に送信するように構成される基地局送信部、
を有する、通信システム。
【請求項２２】
前記基地局は更に、基地局受信部及び基地局プロセッサを有し、
前記基地局送信部は更に、前記第１のユーザ装置に非競合リソースについての情報を送信するように構成され、前記非競合リソースは、前記基地局によって申請に従って割り当てられる伝送リソースであり、
前記基地局受信部は、前記第１のユーザ装置がＸｍｓ後又はＫ回の競合の後に伝送リソースを取得しなかった場合、前記第１のユーザ装置により前記基地局に出された申請を受信して、伝送リソースの割当てを要求するように構成され、
前記基地局プロセッサは、前記第１のユーザ装置が前記第２のユーザ装置にメッセージを送信できるように、前記申請に従って、前記伝送リソースを前記第１のユーザ装置に割り当てるように構成され、Ｘは有理数であり、Ｋは正の整数である、
請求項２１に記載の通信システム。
【国際調査報告】
2017535206.tif 000010
2017535206.tif 000011
2017535206.tif 000012
2017535206.tif 000013